【事件の表示】
　特許第３０１１７８９号「大容量発電機の回転体用データ処理装置」の請求項１に係る特許に対する特許異議の申立てについて、次のとおり決定する。
【結　論】
　訂正を認める。
　特許第３０１１７８９号の請求項１に係る特許を維持する。
【理　由】
１．手続きの経緯
　特許第３０１１７８９号の請求項１に係る発明の手続きの経緯は、以下のとおりである。
　出願　　　　　　　　平成３年７月１１日
　設定登録　　　　　　平成１１年１２月１０日
　特許異議の申立て（明星電気株式会社）
　　　　　　　　　　　平成１２年８月１１日
　取消理由通知　　　　平成１２年１１月９日
　意見書、訂正請求　　平成１３年１月２２日
　取消理由通知　　　　平成１３年５月１４日
　訂正請求取下書、意見書、訂正請求
　　　　　　　　　　　平成１３年６月２５日
　
２．訂正の適否
２−１．訂正の内容
　平成１３年６月２５日の訂正請求における訂正の内容は以下のａ〜ｔのとおりである。
ａ．特許明細書における特許請求の範囲の請求項１に、
「回転体又は非回転体の複数個所にセンサを設け、各センサからのセンサ信号に基いて得られる各データ信号を用いて演算処理を行う回転体又は非回転体用データ処理装置において、
　前記回転体又は非回転体側に取付けられた電子基板上に形成され、前記複数個所に設けられた各センサからのアナログ入力信号を順次スキャニングしてこれをシリアルなデジタル信号に変換し、この変換したシリアルなディジタル信号を前記データ信号として生成するデータ信号生成手段と、
　前記回転体又は非回転体側に取付けられ、前記データ信号生成手段からのデータ信号を光信号に変換する電・光変換手段と、
　前記電・光変換手段に対向する静止側位置に設けられ、該電・光変換手段からの光信号を電気信号に変換する光・電変換手段と、
　前記光・電変換手段からの信号の入力に基いて前記演算処理を行う演算処理手段と、
　を備えたことを特徴とする回転体又は非回転体用データ処理装置。」とあるのを、下記のとおりに訂正する。
「大容量発電機の回転体の複数個所にセンサを設け、各センサからのセンサ信号に基づいて得られる各データ信号を用いて演算処理を行う、大容量発電機の回転体用データ処理装置において、
　前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、
　前記回転体の平坦面上に取り付けられ、前記データ信号生成手段からのデータ信号を光信号に変換し、この変換した光信号を回転体のラジアル方向に向けて発光することが可能な電・光変換手段と、
　前記電・光変換手段が前記回転体と共に１回転する間に、前記電・光変換手段と１度は対向し得る静止側位置に設けられ、該電・光変換手段からの光信号を電気信号に変換することが可能な光・電変換手段と、
　前記電・光変換手段と前記光・電変換手段とが互いに対向した時点で、この光・電変換手段に光信号取り込みタイミングを与えるためのパルスを発生させるパルス信号発生手段と、
　前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、
　を備えたことを特徴とする大容量発電機の回転体用データ処理装置。」
ｂ．発明の名称を、「回転体又は非回転体用データ処理装置」から「大容量発電機の回転体用データ処理装置」に訂正する。
ｃ．発明の詳細な説明、明細書段落【０００１】に、「本発明は、回転体又は非回転体の、」とあるのを、「大容量の発電機における回転体の、」と訂正する。
ｄ．発明の詳細な説明、明細書段落【０００３】に、「図６及び図７は、」とあるのを、「図４及び図５は、」と訂正する。
ｅ．発明の詳細な説明、明細書段落【０００４】に、「図６において、」とあるのを、「図４において、」と訂正する。
ｆ．発明の詳細な説明、明細書段落【０００５】に、「図７において、」とあるのを、「図５において、」と訂正する。
ｇ．発明の詳細な説明、明細書段落【００１０】に、「回転体又は非回転体用データ処理装置を」とあるのを、「大容量発電機の回転体用データ処理装置を」と訂正する。
ｈ．発明の詳細な説明、明細書段落【００１１】に、
「本発明は上記課題を解決するための手段として、回転体又は非回転体の複数個所にセンサを設け、各センサからのセンサ信号に基いて得られる各データ信号を用いて演算処理を行う回転体又は非回転体用データ処理装置において、前記回転体又は非回転体側に取付けられた電子基板上に形成され、前記複数箇所に設けられた各センサからのアナログ入力信号を順次スキャニングしてこれをシリアルなデジタル信号に変換し、この変換したシリアルなディジタル信号を前記データ信号として生成するデータ信号生成手段と、前記回転体又は非回転体側に取付けられ、前記データ信号生成手段からのデータ信号を光信号に変換する電・光変換手段と、前記電・光変換手段に対向する静止側位置に設けられ、該電・光変換手段からの光信号を電気信号に変換する光・電変換手段と、前記光・電変換手段からの信号の入力に基いて前記演算処理を行う演算処理手段と、を備えた構成としたものである。」とあるのを、下記のとおりに訂正する。
「本発明は上記課題を解決するための手段として、大容量発電機の回転体の複数個所にセンサを設け、各センサからのセンサ信号に基づいて得られる各データ信号を用いて演算処理を行う、大容量発電機の回転体用データ処理装置において、前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、前記回転体の平坦面上に取り付けられ、前記データ信号生成手段からのデータ信号を光信号に変換し、この変換した光信号を回転体のラジアル方向に向けて発光することが可能な電・光変換手段と、前記電・光変換手段が前記回転体と共に１回転する間に、前記電・光変換手段と１度は対向し得る静止側位置に設けられ、該電・光変換手段からの光信号を電気信号に変換することが可能な光・電変換手段と、前記電・光変換手段と前記光・電変換手段とが互いに対向した時点で、この光・電変換手段に光信号取り込みタイミングを与えるためのパルスを発生させるパルス信号発生手段と、前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、を備えた構成としたものである。」
ｉ．発明の詳細な説明、明細書段落【００１３】に、「演算処理を行う。」とあるのを、「演算処理を行う。このときの光信号の取り込みタイミングはパルス信号発生手段により与えられる。」と訂正する。
ｊ．発明の詳細な説明、明細書段落【００１４】に、「図１乃至図５」とあるのを、「図１乃至図３」と訂正する。
ｋ．発明の詳細な説明、明細書段落【００１６】に、「第１実施例」とあるのを、「実施例」と訂正する。
ｌ．発明の詳細な説明、明細書段落【００２１】〜【００２６】を削除する。
ｍ．発明の詳細な説明、明細書段落【００２７】に、「図５は第３実施例を示す説明図であり、」とあるのを、「図３は本発明の実施例における回転体回りの構造を具体的に示す説明図であり、」
と訂正する。
ｎ．発明の詳細な説明、明細書段落【００２８】に、「ただし、図３に示した第１実施例とは、発光素子３２が軸心に設置されていない点が異なっている。」とあるのを削除する。
ｏ．発明の詳細な説明、明細書段落【００３０】に、「なお、図５の第３実施例は図１の第１実施例よりも実用性の高いものである。これは、回転軸の軸端付近には種々の部品が取付けられるようになっており、図１のような構成を採用するにはある程度の設計上の困難が伴うからである。これに対し、図５の構成の場合には、」とあるのを、下記のとおりに訂正する。
「なお、図３の実施例は実用性の高いものである。これは、回転軸の軸端付近には種々の部品が取付けられるようになっており、図１のような構成を採用するにはある程度の設計上の困難が伴うからである。これに対し、図３の構成の場合には、」
ｐ．発明の詳細な説明、明細書段落【００３１】に、「回転体又は非回転体に関する」とあるのを、「回転体に関する」と訂正する。
ｑ．発明の詳細な説明、明細書段落【００３２】に、「以上のように、本発明によれば、回転体についての多点のデータ信号を、スリップリングを介さずに静止側へ取出すことができる。」とあるのを、下記のとおりに訂正する。
「以上のように、本発明によれば、大容量の発電機の回転体についての多点のデータ信号を、スリップリングを介さずに静止側へ取出すことができ、製造工程中の発電機及び既設の発電機のいずれに対しても電・光変換手段及び光・電変換手段の取り付けを容易に行うことができる。」
ｒ．発明の詳細な説明、明細書段落【００３４】を削除する。
ｓ．図面の簡単な説明に、
　「【図１】本発明の第１実施例のブロック構成図。
　　【図２】図１において用いられる歪ゲージ付近の回路接続図。
　　【図３】図１における回転体回りの構造を示す説明図。
　　【図４】本発明の第２実施例の説明図。
　　【図５】本発明の第３実施例の説明図。
　　【図６】従来例の一部についてのブロック図。
　　【図７】従来例の概略を示すブロック図。」
とあるのを、下記のとおりに訂正する。
　「【図１】本発明の実施例のブロック構成図。
　　【図２】図１において用いられる歪ゲージ付近の回路接続図。
　　【図３】図１における回転体回りの構造を示す説明図。
　　【図４】従来例の一部についてのブロック図。
　　【図５】従来例の概略を示すブロック図。」
ｔ．図３及び図４を削除すると共に、図５、図６、及び図７の図番をそれぞれ図３、図４、及び図５に繰り上げる。
２−２．訂正の目的の適否、新規事項の有無及び拡張・変更の存否
　上記訂正の内容ａは、特許請求の範囲の減縮に該当する。
　同ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔは、明瞭でない記載の釈明に該当する。
　そして、これらの訂正の内容は、特許明細書又は図面に記載した事項の範囲内であり、また、実質的に特許請求の範囲を拡張又は変更するものではない。
２−３．むすび
　以上のとおりであるから、上記訂正は、特許法等の一部を改正する法律（平成６年法律第１１６号）附則第６条第１項によりなお従前の例によるとされる、特許法第１２０条の４第３項において準用する平成６年法律第１１６号による改正前の第１２６条第１項ただし書き、第２項及び第３項の規定に適合するので、当該訂正は認める。
　
３．取消理由について
３−１．訂正明細書に記載の発明
　上記平成１３年６月２５日の訂正請求に係る訂正明細書において、本件の請求項１に係る発明（以下、「本件発明」という）は、上記２−１．のａで示したように、特許請求の範囲の請求項１に記載された事項により特定されるとおりのものである。
３−２．取消理由
　当審が、平成１２年１１月９日付けで通知した取消理由は、次のとおりである。
『１．本件特許の請求項１に係る発明（以下、「本件発明」という）は、その出願の日前の特許出願であって、その出願後に出願公開された下記１の特許出願の願書に最初に添付された明細書又は図面に記載された発明と同一であり、しかも、この出願の発明者がその出願前の特許出願に係る上記の発明をした者と同一でなく、また、この出願の時において、その出願人が上記特許出願の出願の出願と同一でもないので、特許法第２９条の２の規定により、特許を受けることができない。
２．本件発明は、その出願前に国内において頒布された下記２又は３の刊行物に記載された発明であるから、特許法第２９条第１項第３号に該当し、特許を受けることができない。
３．本件発明は、その出願前に国内において頒布された下記２又は３の刊行物に記載された発明に基づいて、その出願前にその発明の属する技術の分野における通常の知識を有する者が、容易に発明をすることができたものと認められるから、特許法第２９条第２項の規定により特許を受けることができない。
４．本件発明は、特許異議申立書第３頁１３行〜第７頁４行の「（４）具体的理由…ではない。」に記載の理由により、その出願前に国内において頒布された下記４及び５の刊行物に記載された発明並びに周知技術に基づいて、その出願前にその発明の属する技術の分野における通常の知識を有する者が、容易に発明をすることができたものと認められるから、特許法第２９条第２項の規定により特許を受けることができない。
　　　　　　　　　　　　　　記
１．特願平２−７５３２５号（特開平３−２７３３９９号公報）
２．実願昭５５−１７１９４号（実開昭５６−１２２１９号）のマイクロフィルム
３．特開昭６１−１８４７００号公報
４．SCU-900 Signal Conditioning Unit and PM-900 Power Moduleのカタログ（１９８５年１０月）ＡＹＤＩＮ　ＶＥＣＴＯＲ社 　米国
５．半導体技術資料「東芝光センサ」ｐ．５３７（１９８８年３月）株式会社東芝』
３−３．引用された、特許出願１の願書に最初に添付された明細書又は図面、及び刊行物２〜５（以下、「引用例１〜５」という）に記載された発明
〔引用例１〕
　公開公報第４頁右上欄３行〜左下欄１７行の「回転部材…される。」、及び第２頁右上欄１〜６行の「センサ…の装置。」の記載からみて、
「回転部材２の状態データを回転部材２から固定装置へ伝送する装置において、
　回転部材内部に配置され、所定の回転部材状態を検出してそれに対応するアナログ信号を提供する複数のセンサ装置４と、
　回転部材内部に配置され、前記センサ装置４にマルチプレクサ２４を介して接続されて、そこからのアナログ信号を取得して同信号をデジタル信号に変換するＡ／Ｄ変換器２８と、
　回転部材内部に配置され、前記Ａ／Ｄ変換器２８に接続されて、デジタル信号に応答して所定デジタルコードに従って電気信号を提供する論理回路３２と、
　回転部材外部の表面に配置され、上記論理回路３２に接続されて、そこからの信号に応答して上記デジタルコードに従って光信号を提供する発光ダイオード８と、
　固定装置に取り付けられ、上記光信号を受け取る受光器１０と、
　上記受光器１０に連結され、光信号を電気デジタル信号に変換するデコーダ１６と、
　上記デコーダ１６に接続され上記電気デジタル信号を処理するコンピュータ１８と
　を備えた回転部材２の状態データを回転部材２から固定装置へ伝送する装置。」が記載されている。
〔引用例２〕
　実用新案登録請求の範囲に、
「回転する物体の内部又は表面、内部の各種の物理量（圧力、温度、歪等）を検出するにあたり、回転する物体側に各種検出器、アナログ／デジタル検出器、並列／直列変換器を搭載し、前記検出量をアナログ／デジタル変換后サイリツク直列変換し、一方発光器を回転体の軸中心に設置し、受光器を静止側に設置して静止側へ上記直列信号を前記発／受光器を用いて伝送する事を特徴とする回転物体の物理量検出装置。」と記載されている。
〔引用例３〕
　特許請求の範囲、及び第３頁左上欄３行〜右上欄８行の「第１図…したりする。」の記載からみて、
「回転機の回転部１２に設けられた複数の物理量検出端素子と、これら各検出端素子の検出出力がそれぞれＡ−Ｄ変換器３ａ〜３ｅを介して逐次反復して直列信号として取込まれるマイクロコンピュータ４ａと、マイクロコンピュータ４ａから出力される直列信号を光信号に変換し固定側に向けて発信する発光素子（Ｅ／Ｌ）５ａ、光分配器７ａ及び光ファイバ８ａと、固定側で光ファイバ８ａから若干の間隔を置いて対向配置され、光ファイバ８ａからの光信号を受けるための第２の光ファイバ８ｂと、この光信号が光分配器７ｂを介して入力され、電気信号に再変換する受光素子６ｂと、受光素子６ｂの出力信号が入力され、一連の入力信号を個々の測定量すなわち被監視量に分離し、それを表示器９に表示したり、図示していない警報装置や遮断装置の入力として出力したりするマイクロコンピュータ４ｂとを具備した、回転機の回転部監視装置。」が記載されている。
〔引用例４〕
「複数のＳＣカード（シグナルコンディショニングカード）からの信号を順次スキャニング（マルチプレクシング）して、シリアルなディジタル信号に変換すること」が記載されている。
〔引用例５〕
「電気信号を光信号に変換し、さらには、上記光信号を受信して電気信号に変換する技術」が記載されている。
３−４．対比・判断
（取消理由１について）
　本件発明と引用例１に記載された発明を比較すると、本件発明の「電・光変換手段」は、引用例１の発明の「発光ダイオード８」に相当し、両者の取り付け位置は、それぞれ「回転体の平坦面上」、「回転部材外部の表面」であって、ラジアル方向に光信号が発光されることに変わりがなく、取り付け位置を本件発明のように回転体の平坦面上とする点は、各別な相違ではなく設計上の事項である。しかしながら、引用例１の発明は、本件発明の「前記電・光変換手段と前記光・電変換手段とが互いに対向した時点で、この光・電変換手段に光信号取り込みタイミングを与えるためのパルスを発生させるパルス信号発生手段」の構成は備えていない。したがって、本件発明は引用例１に記載された発明と同一ではない。
（取消理由２，３について）
　本件発明と引用例２に記載された発明を比較すると、本件発明の「電・光変換手段」は、引用例２の発明の「発光ダイオード」に相当するが、取り付け位置に関し、前者は、「回転体の平坦面上」であるのに対し、後者は、「回転体の軸中心」であって、相違している。また、引用例２の発明は、本件発明の「前記電・光変換手段と前記光・電変換手段とが互いに対向した時点で、この光・電変換手段に光信号取り込みタイミングを与えるためのパルスを発生させるパルス信号発生手段」の構成は備えていない。
　本件発明と引用例３に記載された発明を比較すると、本件発明の「電・光変換手段」は、引用例３の発明の「発光素子６ａ、光分配器７ａ、及び光ファイバ８ａ」に相当するが、取り付け位置に関し、前者は、「回転体の平坦面上」であるのに対し、後者は、「回転部１２」のどの位置か不明であり、両者は、相違している。また、引用例３の発明は、本件発明の「前記電・光変換手段と前記光・電変換手段とが互いに対向した時点で、この光・電変換手段に光信号取り込みタイミングを与えるためのパルスを発生させるパルス信号発生手段」の構成は備えていない。
　したがって、本件発明は、引用例２又は３に記載された発明ではないし、また、引用例２又は３に記載された発明に基づいて、その出願前にその発明の属する技術の分野における通常の知識を有する者が、容易に発明をすることができたものでもない。
（取消理由４について）
　引用例４及び５の発明は、回転体から固定側へ信号を送るものではなく、また、本件発明の「前記電・光変換手段と前記光・電変換手段とが互いに対向した時点で、この光・電変換手段に光信号取り込みタイミングを与えるためのパルスを発生させるパルス信号発生手段」の構成は備えていない。そして、特許異議申立人が主張するような周知技術を考慮しても、本件発明は、引用例４及び５に記載された発明に基づいて、その出願前にその発明の属する技術の分野における通常の知識を有する者が、容易に発明をすることができたものではない。
　
４．特許異議の申立て理由について
　特許異議申立人は、請求項１に係る発明は、甲第１号証及び甲第２号証（それぞれ前記引用例４及び５と同じ）に記載された発明並びに周知技術に基づき容易に発明をすることができたものであり、特許法第２９条第２項の規定により特許を受けることができないものであるから、前記発明に係る本件特許は取り消されるべき旨主張している。
　しかしながら、訂正後の請求項１に係る発明については、前記３−４．で述べたとおり引用例４及び５に記載された発明並びに周知技術に基づき容易に発明をすることができたものではない。
　したがって、特許異議の申立ての理由及び証拠によっては、請求項１に係る発明の特許を取り消すことはできない。
　そして、他に本件特許を取り消すべき理由を発見しない。
　よって、結論のとおり決定する。
【異議決定日】
平成１３年７月１９日（２００１．７．１９）
【訂正の要旨】
　特許第３０１１７８９号発明の明細書を、本件訂正請求書に添付された訂正明細書のとおりに、すなわち特許請求の範囲の減縮を目的として下記ａのとおり、明瞭でない記載の釈明を目的として下記ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔのとおりに訂正する。
ａ．特許明細書における特許請求の範囲の請求項１に、
「回転体又は非回転体の複数個所にセンサを設け、各センサからのセンサ信号に基いて得られる各データ信号を用いて演算処理を行う回転体又は非回転体用データ処理装置において、
　前記回転体又は非回転体側に取付けられた電子基板上に形成され、前記複数個所に設けられた各センサからのアナログ入力信号を順次スキャニングしてこれをシリアルなデジタル信号に変換し、この変換したシリアルなディジタル信号を前記データ信号として生成するデータ信号生成手段と、
　前記回転体又は非回転体側に取付けられ、前記データ信号生成手段からのデータ信号を光信号に変換する電・光変換手段と、
　前記電・光変換手段に対向する静止側位置に設けられ、該電・光変換手段からの光信号を電気信号に変換する光・電変換手段と、
　前記光・電変換手段からの信号の入力に基いて前記演算処理を行う演算処理手段と、
　を備えたことを特徴とする回転体又は非回転体用データ処理装置。」とあるのを、下記のとおりに訂正する。
「大容量発電機の回転体の複数個所にセンサを設け、各センサからのセンサ信号に基づいて得られる各データ信号を用いて演算処理を行う、大容量発電機の回転体用データ処理装置において、
　前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、
　前記回転体の平坦面上に取り付けられ、前記データ信号生成手段からのデータ信号を光信号に変換し、この変換した光信号を回転体のラジアル方向に向けて発光することが可能な電・光変換手段と、
　前記電・光変換手段が前記回転体と共に１回転する間に、前記電・光変換手段と１度は対向し得る静止側位置に設けられ、該電・光変換手段からの光信号を電気信号に変換することが可能な光・電変換手段と、
　前記電・光変換手段と前記光・電変換手段とが互いに対向した時点で、この光・電変換手段に光信号取り込みタイミングを与えるためのパルスを発生させるパルス信号発生手段と、
　前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、
　を備えたことを特徴とする大容量発電機の回転体用データ処理装置。」
ｂ．発明の名称を、「回転体又は非回転体用データ処理装置」から「大容量発電機の回転体用データ処理装置」に訂正する。
ｃ．発明の詳細な説明、明細書段落【０００１】に、「本発明は、回転体又は非回転体の、」とあるのを、「大容量の発電機における回転体の、」と訂正する。
ｄ．発明の詳細な説明、明細書段落【０００３】に、「図６及び図７は、」とあるのを、「図４及び図５は、」と訂正する。
ｅ．発明の詳細な説明、明細書段落【０００４】に、「図６において、」とあるのを、「図４において、」と訂正する。
ｆ．発明の詳細な説明、明細書段落【０００５】に、「図７において、」とあるのを、「図５において、」と訂正する。
ｇ．発明の詳細な説明、明細書段落【００１０】に、「回転体又は非回転体用データ処理装置を」とあるのを、「大容量発電機の回転体用データ処理装置を」と訂正する。
ｈ．発明の詳細な説明、明細書段落【００１１】に、
「本発明は上記課題を解決するための手段として、回転体又は非回転体の複数個所にセンサを設け、各センサからのセンサ信号に基いて得られる各データ信号を用いて演算処理を行う回転体又は非回転体用データ処理装置において、前記回転体又は非回転体側に取付けられた電子基板上に形成され、前記複数箇所に設けられた各センサからのアナログ入力信号を順次スキャニングしてこれをシリアルなデジタル信号に変換し、この変換したシリアルなディジタル信号を前記データ信号として生成するデータ信号生成手段と、前記回転体又は非回転体側に取付けられ、前記データ信号生成手段からのデータ信号を光信号に変換する電・光変換手段と、前記電・光変換手段に対向する静止側位置に設けられ、該電・光変換手段からの光信号を電気信号に変換する光・電変換手段と、前記光・電変換手段からの信号の入力に基いて前記演算処理を行う演算処理手段と、を備えた構成としたものである。」とあるのを、下記のとおりに訂正する。
「本発明は上記課題を解決するための手段として、大容量発電機の回転体の複数個所にセンサを設け、各センサからのセンサ信号に基づいて得られる各データ信号を用いて演算処理を行う、大容量発電機の回転体用データ処理装置において、前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、前記回転体の平坦面上に取り付けられ、前記データ信号生成手段からのデータ信号を光信号に変換し、この変換した光信号を回転体のラジアル方向に向けて発光することが可能な電・光変換手段と、前記電・光変換手段が前記回転体と共に１回転する間に、前記電・光変換手段と１度は対向し得る静止側位置に設けられ、該電・光変換手段からの光信号を電気信号に変換することが可能な光・電変換手段と、前記電・光変換手段と前記光・電変換手段とが互いに対向した時点で、この光・電変換手段に光信号取り込みタイミングを与えるためのパルスを発生させるパルス信号発生手段と、前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、を備えた構成としたものである。」
ｉ．発明の詳細な説明、明細書段落【００１３】に、「演算処理を行う。」とあるのを、「演算処理を行う。このときの光信号の取り込みタイミングはパルス信号発生手段により与えられる。」と訂正する。
ｊ．発明の詳細な説明、明細書段落【００１４】に、「図１乃至図５」とあるのを、「図１乃至図３」と訂正する。
ｋ．発明の詳細な説明、明細書段落【００１６】に、「第１実施例」とあるのを、「実施例」と訂正する。
ｌ．発明の詳細な説明、明細書段落【００２１】〜【００２６】を削除する。
ｍ．発明の詳細な説明、明細書段落【００２７】に、「図５は第３実施例を示す説明図であり、」とあるのを、「図３は本発明の実施例における回転体回りの構造を具体的に示す説明図であり、」
と訂正する。
ｎ．発明の詳細な説明、明細書段落【００２８】に、「ただし、図３に示した第１実施例とは、発光素子３２が軸心に設置されていない点が異なっている。」とあるのを削除する。
ｏ．発明の詳細な説明、明細書段落【００３０】に、「なお、図５の第３実施例は図１の第１実施例よりも実用性の高いものである。これは、回転軸の軸端付近には種々の部品が取付けられるようになっており、図１のような構成を採用するにはある程度の設計上の困難が伴うからである。これに対し、図５の構成の場合には、」とあるのを、下記のとおりに訂正する。
「なお、図３の実施例は実用性の高いものである。これは、回転軸の軸端付近には種々の部品が取付けられるようになっており、図１のような構成を採用するにはある程度の設計上の困難が伴うからである。これに対し、図３の構成の場合には、」
ｐ．発明の詳細な説明、明細書段落【００３１】に、「回転体又は非回転体に関する」とあるのを、「回転体に関する」と訂正する。
ｑ．発明の詳細な説明、明細書段落【００３２】に、「以上のように、本発明によれば、回転体についての多点のデータ信号を、スリップリングを介さずに静止側へ取出すことができる。」とあるのを、下記のとおりに訂正する。
「以上のように、本発明によれば、大容量の発電機の回転体についての多点のデータ信号を、スリップリングを介さずに静止側へ取出すことができ、製造工程中の発電機及び既設の発電機のいずれに対しても電・光変換手段及び光・電変換手段の取り付けを容易に行うことができる。」
ｒ．発明の詳細な説明、明細書段落【００３４】を削除する。
ｓ．図面の簡単な説明に、
　「【図１】本発明の第１実施例のブロック構成図。
　【図２】図１において用いられる歪ゲージ付近の回路接続図。
　【図３】図１における回転体回りの構造を示す説明図。
　【図４】本発明の第２実施例の説明図。
　【図５】本発明の第３実施例の説明図。
　【図６】従来例の一部についてのブロック図。
　【図７】従来例の概略を示すブロック図。」
とあるのを、下記のとおりに訂正する。
　「【図１】本発明の実施例のブロック構成図。
　【図２】図１において用いられる歪ゲージ付近の回路接続図。
　【図３】図１における回転体回りの構造を示す説明図。
　【図４】従来例の一部についてのブロック図。
　【図５】従来例の概略を示すブロック図。」
ｔ．図３及び図４を削除すると共に、図５、図６、及び図７の図番をそれぞれ図３、図４、及び図５に繰り上げる。
（５４）【発明の名称】
大容量発電機の回転体用データ処理装置
（５７）【特許請求の範囲】
　【請求項１】
　大容量発電機の回転体の複数個所にセンサを設け、各センサからのセンサ信号に基づいて得られる各データ信号を用いて演算処理を行う、大容量発電機の回転体用データ処理装置において、
　前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、
　前記回転体の平坦面上に取り付けられ、前記データ信号生成手段からのデータ信号を光信号に変換し、この変換した光信号を回転体のラジアル方向に向けて発光することが可能な電・光変換手段と、
　前記電・光変換手段が前記回転体と共に１回転する間に、前記電・光変換手段と１度は対向し得る静止側位置に設けられ、該電・光変換手段からの光信号を電気信号に変換することが可能な光・電変換手段と、
　前記電・光変換手段と前記光・電変換手段とが互いに対向した時点で、この光・電変換手段に光信号取り込みタイミングを与えるためのパルスを発生させるパルス信号発生手段と、
　前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、
　を備えたことを特徴とする大容量発電機の回転体用データ処理装置。
【発明の詳細な説明】
　【０００１】
　【産業上の利用分野】
　本発明は、大容量の発電機における回転体の、例えば歪み等についてのデータ処理を行う装置に関するものである。
　【０００２】
　【従来の技術】
　発電所等で使用される大容量の発電機の場合、その寸法の大きさ故にロータの歪み量はかなり大きなものとなる。したがって、発電機の製造工程においても、また、既設の発電機に異常が生じた場合においても、ロータの歪みの計測については充分な精度が要求される。
　【０００３】
　図４及び図５は、このようなロータ等の回転体の歪みに関する計測を行う装置のブロック図である。ところで、回転体に取り付けた各種センサからの電気信号を取り出すには、スリップリングが多用されている。スリップリングとは、回転体軸端と結合された軸上に、軸と電気的に絶縁された複数のリングを有し、回転体からの複数のリード線（各種センサからの電気信号を取り出す線）と各々のリングとを電気的に接続した後、この各リングの外周に静止側からカーボンブラシを当てて摺動させ、電気信号を取り出すものである。
　【０００４】
　図４において、回転体上の任意の位置に貼付された複数個の歪ゲージ１はリード線２を通してスリップリング３に接続される。このとき、リード線２は自身の温度補償のため１ゲージに対し各３本ずつ用いることがある。スリップリング３より静止側に取り出された歪ゲージ１の信号はブリッジ回路４を介して歪アンプ５により増幅されて電気信号となる。
　【０００５】
　この信号の処理については、特に歪ゲージ１の点数が多い場合、以下の方法が多く用いられる。すなわち、図５において、複数の歪アンプ（Ｎｏ．１〜Ｎ）５より出る電気信号線をスキャナ６と接続し、ここで電気的あるいは機械的なスキャンニングを行う。
　【０００６】
　スキャンニングとはある一定のスピードで信号線を順次切り換えるもので、これにより信号線は一組となり、Ａ／Ｄ変換器７によりアナログ信号が対応するディジタル信号に変換されてディジタル計算機８に入力される。そして、オペレータの入力したソフトに従って演算され、図形処理が行われたり記憶装置に記憶されたりする。
　【０００７】
　【発明が解決しようとする課題】
　従来技術の課題はスリップリングを用いなければならないことにある。例えば、リード線の温度補償のために、１点あたり３本のリード線を用いるとすると、スリップリングでは１点あたり３極の極数を必要とする。通常用いられるスリップリングの極数は多くても４０極程度であり、このため歪ゲージの点数は１３点程度に制限される。
　【０００８】
　さらに多くの点数を必要とする場合には、計測途中で接続替えを行わなければならないが、これには多くの手間を要する上、接続替え前後に計測されたデータには試験条件の相違が生じ得ることになる。
　【０００９】
　また、歪ゲージは、そのわずかな抵抗変化によって歪を計測するものであり、ブリッジ回路までの途中にスリップリングが介在すると、そのブラシとリングの摺動による接触抵抗の変化も静止側からは歪ゲージの抵抗変化としてとらえられることになる。したがって、いわゆるノイズが入り込み、信号のＳＮ比が悪化することになる。
　【００１０】
　本発明は上記事情に鑑みてなされたものであり、回転体等についての多点のデータ信号を、スリップリングを介さずに静止側に取出すことができる大容量発電機の回転体用データ処理装置を提供することを目的としている。
　【００１１】
　【課題を解決するための手段】
　本発明は上記課題を解決するための手段として、大容量発電機の回転体の複数個所にセンサを設け、各センサからのセンサ信号に基づいて得られる各データ信号を用いて演算処理を行う、大容量発電機の回転体用データ処理装置において、前記回転体の平坦面上に取り付けられた電子基板上に形成され、前記複数個所に設けられた各センサからのアナログ入力信号を順次スキャンニングしてこれをシリアルなディジタル信号に変換し、この変換したシリアルなディジタル信号を前記データ信号として生成するデータ信号生成手段と、前記回転体の平坦面上に取り付けられ、前記データ信号生成手段からのデータ信号を光信号に変換し、この変換した光信号を回転体のラジアル方向に向けて発光することが可能な電・光変換手段と、前記電・光変換手段が前記回転体と共に１回転する間に、前記電・光変換手段と１度は対向し得る静止側位置に設けられ、該電・光変換手段からの光信号を電気信号に変換することが可能な光・電変換手段と、前記電・光変換手段と前記光・電変換手段とが互いに対向した時点で、この光・電変換手段に光信号取り込みタイミングを与えるためのパルスを発生させるパルス信号発生手段と、前記パルス信号発生手段のパルス発生時に、前記光・電変換手段が前記電・光変換手段からの光信号を取り込んで変換した電気信号を入力し、この入力した電気信号に基づいて前記演算処理を行う演算処理手段と、を備えた構成としたものである。
　【００１２】
　【作用】
　上記構成において、シリアルなディジタル信号を生成するデータ信号生成手段は、電子基板上に形成されており、その大きさはさほど大きなものではない。したがって、このデータ信号生成手段は、回転体又は非回転体側すなわち被測定側に取付可能となる。そして、電子基板上に形成されたデータ信号生成手段に対しては、スリップリングを用いた場合よりも、センサ信号の入力点数をはるかに多くすることができる。
　【００１３】
　データ信号生成手段で生成されたシリアルなデータ信号は、同じく回転体又は非回転体側に取付けられている電・光変換手段に送られ、光信号に変換される。そして、この光信号は、電・光変換手段に対向して設けられている光・電変換手段によって電気信号に変換される。演算処理手段は、この電気信号の入力に基いて演算処理を行う。このときの光信号の取り込みタイミングはパルス信号発生手段により与えられる。
　【００１４】
　【実施例】
　以下、本発明の実施例を図１乃至図３に基いて説明する。図２において、回転体のある部位に貼付した歪ゲージ１がリード線２により端子９に接続されている。端子は５点あり、歪アンプ１０との間には固定抵抗Ｒが３カ所挿入されブリッジ回路を構成している。この固定抵抗Ｒは歪ゲージ１と同一の抵抗値を持ち、かつ周囲温度の変化に対して抵抗値の変化が極力小さなものが選択されている。
　【００１５】
　端子１１と端子１２、あるいは端子１２と端子１３の間には、抵抗１４および１５が挿入されている。これは歪ゲージ１と固定抵抗１１とで構成されるブリッジ回路の平衡（電気的にバランスの取れた状態）を取るためのもので、必要に応じて適当な値の抵抗（固定抵抗あるいは可変抵抗）が用いられる。
　【００１６】
　この図２の組合わせは１点の歪ゲージに対して１組ずつ構成されることになる。そして、図１は本発明の実施例の構成を示すブロック図であり、Ｎ個の組合わせ回路１６と、マルチプレクサ１７と、Ａ／Ｄ変換器１８とでデータ信号生成手段が形成され、これらが同一の電子基板１９上に形成されている。
　【００１７】
　図１において、Ａ／Ｄ変換器１８には、リード線によりＥ／Ｏ変換器２０が接続され、光信号が発光されるようになっている。これらは全て回転体内部に取り付けられることになる。
　【００１８】
　一方、静止側には回転側からの光信号を受光して電気信号に変換するＯ／Ｅ変換器２１が設けられており、この信号がディジタル計算機２２に入力される。この信号はディジタル計算機２２に付属された外部記憶装置２３により記憶、保存される。
　【００１９】
　なお、歪アンプ，マルチプレクサ，Ａ／Ｄ変換器，Ｅ／Ｏ変換器への電源供給は電源供給用スリップリング２４を介して静止側から電源２５により行う。
　【００２０】
　以上の構成により、例えば、１００点の歪ゲージを回転体に取り付けた場合、ブリッジ回路および歪アンプは１００組必要となるが、マルチプレクサ，Ａ／Ｄ変換器等全ての素子を含めて、例えば８０ｍｍ×４００ｍｍの基板３枚の上に構成することができる。これを組み合わせると、端子板を含め、８０ｍｍ×８０ｍｍ×４００ｍｍの立方体の中に収まる形状となる。したがって、これらを回転体に取り付ける場合は、遠心力に耐えるためシリコンゴム系もしくはエポキシ系のモールド材によりモールド成形するこができる。
　【００２１】
　図３は本発明の実施例における回転体回りの構造を具体的に示す説明図であり、比較的大型の回転体について歪計測を行う場合の一例である。すなわち、回転体４１が軸受４２に支持されており、この回転体４１上に取付けられた歪ゲージ２８がリード線２９により信号伝送装置３１に接続されている。この信号伝送装置３１は回転体４１の円滑な回転に支障がない限り任意の位置に設置できる。そして、発光素子３２からラジアル方向に光信号が発光される。
　【００２２】
　一方、静止側には受光素子３３が対向して設置され、Ｏ／Ｅ変換器３４により電気信号として取り出せる。
　【００２３】
　すなわち、発光素子３２と受光素子３３は常時対向しているのではなく、回転体４１の一回転につき一回だけ対向する瞬間があるだけである。しかし、１チャンネルもしくは数チャンネル分の信号伝送にはこれで十分である。そして、信号送信のタイミングを与えるため、回転体４１の上部付近には、一回転に一回のパルスを発生するパルス信号発生器４３が取り付けてある。このパルス信号発生器４３は、うず電流式非接触変位計でも電磁ピックアップでも良く、受光装置に信号取り込みのタイミングを電気信号として与えられるものであれば良い。
　【００２４】
なお、図３の実施例は実用性の高いものである。これは、回転軸の軸端付近には種々の部品が取付けられるようになっており、図１のような構成を採用するにはある程度の設計上の困難が伴うからである。これに対し、図３の構成の場合には、既設の発電機のロータの歪測定を行う場合でも、信号伝送装置３１、Ｏ／Ｅ変換器３４等の取付けを容易に行うことができる。
　【００２５】
　また、上述の実施例では、回転体に関するデータ信号が歪信号である場合につき示したが、もちろん、温度信号などの他のデータ信号であってもよい。
　【００２６】
　【発明の効果】
　以上のように、本発明によれば、大容量の発電機の回転体についての多点のデータ信号を、スリップリングを介さずに静止側へ取出すことができ、製造工程中の発電機及び既設の発電機のいずれに対しても電・光変換手段及び光・電変換手段の取り付けを容易に行うことができる。
　【００２７】
　したがって、回転体の複数箇所に取り付けられた歪ゲージの信号を、瞬時に且つＳＮ比の良好な信号として計測することができ、同時に、ディジタル計算機により演算，表示，記憶等のデータ処理が可能となる。これにより、回転体各部の機械的応力状態をリアルタイムで監視することができる。
【図面の簡単な説明】
　【図１】
　本発明の実施例のブロック構成図。
　【図２】
　図１において用いられる歪ゲージ付近の回路接続図。
　【図３】
　図１における回転体回りの構造を示す説明図。
　【図４】
　従来例の一部についてのブロック図。
　【図５】
　従来例の概略を示すブロック図。
　【符号の説明】
１，２８　センサ（歪ゲージ）
１６　データ信号生成手段（組合わせ回路）
１７　データ信号生成手段（マルチプレクサ）
１８　データ信号生成手段（Ａ／Ｄ変換器）
１９　電子基板
２０　電・光変換手段（Ｅ／Ｏ変換器）
２１　光・電変換手段（Ｏ／Ｅ変換器）
２２　演算処理手段（ディジタル計算機）
３１　データ信号生成手段及び電・光変換手段（信号伝送装置）
３４　光・電変換手段（Ｏ／Ｅ変換器）
４３　パルス信号発生手段
【図面】